(57)【要約】  第１発光体（１１６）は基板（１００）上に形成されており、線状である。第２発光体（１２６）も基板（１００）上に形成されており、線状である。第２発光体（１２６）は、第１発光体（１１６）に並んで延伸している。第１陽極（１１２）及び第１陰極（１１４）は基板（１００）上に形成されており、第１発光体（１１６）に電力を供給している。第２陽極（１２２）及び第２陰極（１２４）も基板（１００）上に形成されており、第２発光体（１２６）に電力を供給している。第１陽極（１１２）及び第１陰極（１１４）は互いに並んで延伸しており、第２陽極（１２２）及び第２陰極（１２４）は互いに並んで延伸している。平面視で第１発光体（１１６）と重なる範囲内において、第１陽極（１１２）は第２陽極（１２２）に接続しておらず、第１陰極（１１４）は第２陰極（１２４）に接続していない。
2014038091.tif 000002
【特許請求の範囲】
【請求項１】
基板と、
前記基板上に形成され、第１有機発光層を有しており、線状である第１発光体と、
前記基板上に形成され、第２有機発光層を有しており、線状であり、前記第１発光体に並んでいる第２発光体と、
互いに同じ方向に延伸しており、前記第１発光体を挟持する第１陽極及び第１陰極と、
互いに同じ方向に延伸しており、前記第２発光体を挟持する第２陽極及び第２陰極と、
を備え、
前記第１陽極は前記第２陽極に接続しておらず、前記第１陰極は前記第２陰極に接続していない発光装置。
【請求項２】
請求項１に記載の発光装置において、
前記第１発光体及び前記第２発光体は、いずれも直線状に延伸している発光装置。
【請求項３】
請求項２に記載の発光装置において、
前記基板の縁のうち前記第１発光体の一方の端部が面する位置又はその近傍に設けられ、前記第１陽極に接続する第１陽極端子と、
前記基板の縁のうち前記第２発光体の一方の端部が面する位置又はその近傍に設けられ、前記第２陽極に接続する第２陽極端子と、
前記基板の縁のうち前記第１発光体の他方の端部が面する位置又はその近傍に設けられ、前記第１陰極に接続する第１陰極端子と、
前記基板の縁のうち前記第２発光体の他方の端部が面する位置又はその近傍に設けられ、前記第２陰極に接続する第２陰極端子と、
を備える発光装置。
【請求項４】
請求項３に記載の発光装置において、
前記基板は矩形であり、
前記第１陽極端子及び前記第２陽極端子は、前記基板の第１辺に設けられており、
前記第１陰極端子及び前記第２陰極端子は、前記基板のうち前記第１辺とは逆側の第２辺に設けられている発光装置。
【請求項５】
請求項４に記載の発光装置において、
複数の前記第１発光体及び複数の前記第２発光体を有しており、
前記第１陽極及び前記第１陰極は、前記複数の第１発光体毎に設けられており、
前記第２陽極及び前記第２陰極は、前記複数の第２発光体毎に設けられており、
前記複数の第１陽極は、一つの前記第１陽極端子に接続しており、
前記複数の第２陽極は、一つの前記第２陽極端子に接続しており、
前記複数の第１陰極は、一つの前記第１陰極端子に接続しており、
前記複数の第２陰極は、一つの前記第２陰極端子に接続している発光装置。
【請求項６】
請求項１〜５のいずれか一項に記載の発光装置において、
前記第１陽極の単位長さあたりの抵抗値は、前記第１陰極の単位長さあたりの抵抗値は略同じである発光装置。
【請求項７】
請求項３に記載の発光装置において、
前記第１発光体における、前記第１陽極端子近傍の発光輝度と、前記第１陰極端子近傍の発光輝度との差と、
前記第２発光体における、前記第２陽極端子近傍の発光輝度と、前記第２陰極端子近傍の発光輝度との差が、いずれも３０％未満である発光装置。
【請求項８】
請求項１〜５のいずれか一項に記載の発光装置を複数直列に接続した発光装置。
【請求項９】
請求項８に記載の発光装置において、
１列の複数の発光装置の直列接続体は、発光装置を発光駆動させる発光ドライバを共有している発光装置。
【請求項１０】
請求項８に記載の発光装置において、
隣接する前記発光装置における互いに隣り合う辺近傍の発光輝度の差が、２５％以内である発光装置。
【請求項１１】
請求項１〜５のいずれか一項に記載の発光装置において、
前記第１陽極及び前記第２陽極を含む陽極群、並びに前記第１陰極及び前記第２陰極を含む陰極群は、一方が透明電極であり、かつ他方が金属電極であり、
前記透明電極と並列に設けられ、前記透明電極を構成する材料よりも低抵抗の材料からなる補助電極を備える発光装置。
【発明の詳細な説明】
【技術分野】
【０００１】
本発明は、発光装置に関する。
【背景技術】
【０００２】
電気エネルギーを光に変換する装置の一つに、有機ＥＬ（Electro Luminescence）装置がある。有機ＥＬ装置は、有機発光層を２つの電極で挟んだ構造を有している。例えば特許文献１には、一方の電極をベタ電極とした上で、有機発光層及び他方の電極を線状にすることが記載されている。【０００３】
また特許文献２には、駆動回路と各画素の間に調整抵抗を設けることが記載されている。この調整抵抗は、各画素に流れる電流密度を調整するために設けられている。【０００４】
さらに特許文献３には、走査電極及びデータ電極を有する有機ＥＬディスプレイにおいて、コネクタから走査電極までの配線の長さを冗長にすることで、これら配線の抵抗値を略同一にすることが記載されている。これにより、表示素子の輝度のばらつきを抑制できる、と記載されている。
【先行技術文献】
【特許文献】
【０００５】
【特許文献１】特開２０００−２５２０６３号公報
【特許文献２】特開２００１−１１７５２５号公報
【特許文献３】特開２００７−７２０３３号公報
【発明の概要】
【発明が解決しようとする課題】
【０００６】
有機発光層を有する発光装置を光源として使用する場合、同一構造の発光装置を複数並べて使用することがある。この場合、用途によっては、複数の発光装置の境目が目立たないようにする必要がある。このためには、隣り合う発光装置の境目における輝度の差がある一定範囲内に収まるように、発光装置を設計することが望ましい。【０００７】
一方、有機発光層を有する発光装置において、電圧を安定させることを目的として、陰極をベタ電極とした上で、有機発光層及び他方の電極を線状にする場合が多い。本発明者が検討した結果、このような構造では、全ての有機発光層を発光させる場合と、一部の有機発光層のみを発光させる場合では、同一の有機発光層に対して同一の電圧を印加した場合でも輝度が変わることが判明した。このため、上記した構造では、全ての有機発光層を発光させる場合と、一部の有機発光層のみを発光させる場合の双方で、隣り合う発光装置の境目における輝度の差をある一定範囲内に収めるように設計することは難しかった。【０００８】
本発明が解決しようとする課題としては、有機発光層を有する発光装置において、全ての有機発光層を発光させる場合と、一部の有機発光層のみを発光させる場合の双方で、隣り合う発光装置の境目における輝度の差をある一定範囲内に収めるような設計を可能にすることが、一例として挙げられる。
【課題を解決するための手段】
【０００９】
請求項１に記載の発明は、基板と、
前記基板上に形成され、第１有機発光層を有しており、線状である第１発光体と、
前記基板上に形成され、第２有機発光層を有しており、線状であり、前記第１発光体に並んでいる第２発光体と、
互いに同じ方向に延伸しており、前記第１発光体を挟持する第１陽極及び第１陰極と、
互いに同じ方向に延伸しており、前記第２発光体を挟持する第２陽極及び第２陰極と、
を備え、
前記第１陽極は前記第２陽極に接続しておらず、前記第１陰極は前記第２陰極に接続していない発光装置である。【００１０】
請求項８に記載の発光装置は、請求項１に記載の発光装置を複数直列に接続した発光装置である。
【図面の簡単な説明】
【００１１】
上述した目的、およびその他の目的、特徴および利点は、以下に述べる好適な実施の形態、およびそれに付随する以下の図面によってさらに明らかになる。【００１２】
【図１】第１の実施形態に係る発光装置の構成を示す平面図である。
【図２】図１のＡ１−Ａ２断面図である。
【図３】図１のＢ１−Ｂ２断面図である。
【図４】第１発光体の構造を説明するための断面図である。
【図５】複数の発光装置を並べる方法を説明する図である。
【図６】複数の発光装置を並べる方法を説明する図である。
【図７】参考例における第１発光ライン、第２発光ライン、及び第３発光ラインの延伸方向における輝度の分布を示すグラフである。
【図８】図１の変形例を示す図である。
【図９】図１の変形例を示す図である。
【図１０】第２の実施形態に係る発光装置１０の構成を説明するための断面図である。
【図１１】第１の実施形態に係る発光装置１０の効果を説明するための図である。
【発明を実施するための形態】
【００１３】
以下、本発明の実施の形態について、図面を用いて説明する。尚、すべての図面において、同様な構成要素には同様の符号を付し、適宜説明を省略する。
【００１４】
（第１の実施形態）
図１は、第１の実施形態に係る発光装置１０の構成を示す平面図である。図２は、図１のＡ１−Ａ２断面図である。本実施形態に係る発光装置１０は、基板１００、第１発光体１１６、第２発光体１２６、第１陽極１１２、第１陰極１１４、第２陽極１２２、及び第２陰極１２４を備えている。第１発光体１１６は基板１００上に形成されており、第１有機発光層（図４の発光層３０６）を有している。第１発光体１１６は線状、例えばストライプ状である。第２発光体１２６は基板１００上に形成されており、第２有機発光層（図４の発光層３０６）を有している。第２発光体１２６も線状、例えばストライプ状であり、第１発光体１１６に並んで延伸している。第１陽極１１２及び第１陰極１１４は基板１００上に形成されており、互いに同じ方向に延伸している。第１陽極１１２及び第１陰極１１４は、第１発光体１１６を挟持することにより、第１発光体１１６に電力を供給している。第２陽極１２２及び第２陰極１２４も基板１００上に形成されており、互いに同じ方向に延伸している。第２陽極１２２及び第２陰極１２４は、第２発光体１２６を挟持することにより、第２発光体１２６に電力を供給している。
【００１５】
本実施形態によれば、平面視で第１発光体１１６と重なる範囲内において、第１陽極１１２は第２陽極１２２に接続しておらず、第１陰極１１４は第２陰極１２４に接続していない。このため、第１陽極１１２及び第１陰極１１４の特性（例えば抵抗の大きさ）と、第２陽極１２２及び第２陰極１２４の特性とを互いに独立して設計することができる。また、図７を用いて後述するように、第１発光体１１６及び第２発光体１２６を同時に発光させる場合と、これらを別々に発光させる場合の条件を同一にすることができる。これにより、複数の発光装置１０を並べて配置したとき、第１発光体１１６及び第２発光体１２６を同時に発光させるときと、第１発光体１１６又は第２発光体１２６のみを発光させる場合の双方で、隣り合う発光装置１０の境目における輝度の差を一定範囲内に収めるような設計が可能になる。例えば、隣り合う発光装置１０の境目において、高いほうの輝度をα、低いほうの輝度をβとしたとき、（α−β）／αを、例えば０．３０未満、好ましくは０．１以下、さらに好ましくは０．０５以下にすることができる。以下、詳細に説明する。
【００１６】
図１に示すように、発光装置１０は、基板１００上に、第１発光ライン１１０、第２発光ライン１２０、及び第３発光ライン１３０をそれぞれ複数有している。詳細には、第１発光ライン１１０、第２発光ライン１２０、及び第３発光ライン１３０は、いずれも第１の方向（図１のＹ方向）に、直線状に延伸している。そして第１発光ライン１１０、第２発光ライン１２０、及び第３発光ライン１３０は、第１の方向に直交する第２の方向（図１のＸ方向）に、この順に繰り返し配置されている。このため、基板１００上に第１発光ライン１１０、第２発光ライン１２０、及び第３発光ライン１３０を高い密度で配置して、発光装置１０の発光強度を高くすることができる。なお、各発光ラインの間には、絶縁層１４０（図２に図示）が形成されている。
【００１７】
第１発光ライン１１０、第２発光ライン１２０、及び第３発光ライン１３０は、いずれも有機発光層を有している。第１発光ライン１１０、第２発光ライン１２０、及び第３発光ライン１３０は、互いに異なる特性の光を発光する。例えば第１発光ライン１１０、第２発光ライン１２０、及び第３発光ライン１３０は、それぞれ赤色、緑色、及び青色の光を発光する。ただし第１発光ライン１１０、第２発光ライン１２０、及び第３発光ライン１３０が発光する光の組み合わせはこれに限定されない。
【００１８】
第１発光ライン１１０は第１陽極１１２（図２に図示）及び第１陰極１１４（図２に図示）を有しており、第２発光ライン１２０は第２陽極１２２（図２に図示）及び第２陰極１２４（図２に図示）を有しており、第３発光ライン１３０は、第３陽極１３２（図２に図示）及び第３陰極１３４（図２に図示）を有している。第１発光ライン１１０、第２発光ライン１２０、及び第３発光ライン１３０の延伸方向（図１におけるＹ方向）において第１発光ライン１１０、第２発光ライン１２０、及び第３発光ライン１３０と重なる領域内に限ると、第１陽極１１２、第２陽極１２２、及び第３陽極１３２は互いに分離しており、第１陰極１１４、第２陰極１２４、及び第３陰極１３４も互いに分離している。
【００１９】
発光装置１０は、第１陽極端子２１２、第２陽極端子２２２、及び第３陽極端子２３２、並びに第１陰極端子２１４、第２陰極端子２２４、及び第３陰極端子２３４を有している。第１陽極端子２１２及び第１陰極端子２１４は、複数の第１発光ライン１１０に電力を供給するための端子である。第２陽極端子２２２及び第２陰極端子２２４は、複数の第２発光ライン１２０に電力を供給するための端子である。第３陽極端子２３２及び第３陰極端子２３４は、複数の第３発光ライン１３０に電力を供給するための端子である。
【００２０】
第１陽極端子２１２は、基板１００の縁のうち第１発光ライン１１０の一方の端部が面する位置又はその近傍に設けられており、第１発光ライン１１０の第１陽極１１２に接続している。第２陽極端子２２２は、基板１００の縁のうち第２発光ライン１２０の一方の端部が面する位置又はその近傍に設けられており、第２発光ライン１２０の第２陽極１２２に接続している。第３陽極端子２３２は、基板１００の縁のうち第３発光ライン１３０の一方の端部が面する位置又はその近傍に設けられており、第３発光ライン１３０の第３陽極１３２に接続している。
【００２１】
第１陰極端子２１４は、基板１００の縁のうち第１発光ライン１１０の他方の端部が面する位置又はその近傍に設けられており、第１発光ライン１１０の第１陰極１１４に接続している。第２陰極端子２２４は、基板１００の縁のうち第２発光ライン１２０の他方の端部が面する位置又はその近傍に設けられており、第２発光ライン１２０の第２陰極１２４に接続している。第３陰極端子２３４は、基板１００の縁のうち第３発光ライン１３０の他方の端部が面する位置又はその近傍に設けられており、第３発光ライン１３０の第３陰極１３４に接続している。
【００２２】
第１陽極端子２１２、第２陽極端子２２２、第３陽極端子２３２、第１陰極端子２１４、第２陰極端子２２４、及び第３陰極端子２３４をこのような配置にすることで、第１発光ライン１１０、第２発光ライン１２０、及び第３発光ライン１３０と、これらの端子の間の配線の長さを短くして、これら配線の抵抗を小さくすることができる。
【００２３】
基板１００は矩形を有している。第１発光ライン１１０、第２発光ライン１２０、及び第３発光ライン１３０は、基板１００の一つの辺に沿って延伸している。第１陽極端子２１２、第２陽極端子２２２、及び第３陽極端子２３２は、基板１００のうち第１発光ライン１１０、第２発光ライン１２０、及び第３発光ライン１３０に直交する２つの辺のうちの一方の辺１０２（第１辺）に設けられている。第１陰極端子２１４、第２陰極端子２２４、及び第３陰極端子２３４は、辺１０２に対向する辺１０４（第２辺）に設けられている。
【００２４】
このようなレイアウトを取ることにより、複数の発光装置１０を上下に並べたとき、これら複数の発光装置１０を容易に直列に接続することができる。辺１０２，１０４が延伸する方向（図１のＸ方向）において、第１陽極端子２１２の位置が第１陰極端子２１４の位置と重なっており、第２陽極端子２２２の位置が第２陰極端子２２４の重なっており、かつ第３陽極端子２３２の位置が第３陰極端子２３４の位置と重なっている場合、この効果は特に顕著になる。
【００２５】
次に、図２を用いて、第１発光ライン１１０、第２発光ライン１２０、及び第３発光ライン１３０の構造について説明する。第１発光ライン１１０は、基板１００上に第１陽極１１２、第１発光体１１６、及び第１陰極１１４をこの順に積層した構成を有している。第２発光ライン１２０は、基板１００上に、第２陽極１２２、第２発光体１２６、及び第２陰極１２４をこの順に積層した構成を有している。第３発光ライン１３０は、基板１００上に、第３陽極１３２、第３発光体１３６、及び第３陰極１３４をこの順に積層した構成を有している。
【００２６】
詳細には、各発光ラインの間は、絶縁層１４０によって絶縁されている。絶縁層１４０は、基板１００上のうち、各発光ラインの間に位置する領域に形成されている。絶縁層１４０は、第１陽極１１２の上面のうち端部を除いた領域、第２陽極１２２の上面のうち端部を除いた領域、及び第３陽極１３２のうち端部を除いた領域の上面には形成されていない。そして第１陽極１１２の上面のうち絶縁層１４０が形成されていない領域には、第１発光体１１６及び第１陰極１１４がこの順に積層されている。また、第２陽極１２２の上面のうち絶縁層１４０が形成されていない領域には、第２発光体１２６及び第２陰極１２４がこの順に積層されている。さらに、第３陽極１３２の上面のうち絶縁層１４０が形成されていない領域には、第３発光体１３６及び第３陰極１３４がこの順に積層されている。
【００２７】
また、絶縁層１４０のうち各発光ラインの間に位置する部分には、絶縁材料からなる隔壁１５０が形成されている。隔壁１５０は、逆テーパ形状を有しており、上面が下面よりも広くなっている。絶縁層１４０上に第１発光体１１６となる材料、第２発光体１２６となる材料、第３発光体１３６となる材料、並びに、第１陰極１１４、第２陰極１２４、及び第３陰極１３４となる材料が形成されないようにするために設けられている。すなわち隔壁１５０が設けられることにより、各発光ラインの発光体及び陰極が互いに分離される。
【００２８】
基板１００は、例えば石英、ガラス、金属、またはプラスチックなどの樹脂によって形成されている。発光装置１０の光の出射面が基板１００である場合、基板１００は、第１発光ライン１１０、第２発光ライン１２０、及び第３発光ライン１３０が発光する光を透過する材料によって形成されている。
【００２９】
第１陽極１１２、第２陽極１２２、第３陽極１３２は互いに同一の材料によって形成されている。基板１００が光の出射面である場合、第１陽極１１２、第２陽極１２２、及び第３陽極１３２は、ＩＴＯ（Indium Tin Oxide）、ＩＺＯ（インジウム亜鉛酸化物）、及びＺｎＯ（酸化亜鉛）などの透明電極である。なお、発光装置１０のうち基板１００と逆側の面が光の出射面である場合、第１陽極１１２、第２陽極１２２、及び第３陽極１３２は、Ａｌなどの金属によって形成されている。
【００３０】
第１陰極１１４、第２陰極１２４、及び第３陰極１３４は、互いに同一の材料によって形成されている。基板１００が光の出射面である場合、第１陰極１１４、第２陰極１２４、及び第３陰極１３４は、Ａｌなどの金属によって形成されている。なお、発光装置１０のうち基板１００と逆側の面が光の出射面である場合、第１陰極１１４、第２陰極１２４、及び第３陰極１３４は、ＩＴＯ（Indium Tin Oxide）、ＩＺＯ（インジウム亜鉛酸化物）、及びＺｎＯ（酸化亜鉛）などの透明電極である。
【００３１】
図１に示したように、第１発光ライン１１０は線状に延伸している。電流は、第１陽極１１２の全面から、第１発光体１１６を介して第１陰極１１４に流れる。一方、第１陽極１１２及び第１陰極１１４はいずれも抵抗成分を有している。このため、第１陽極１１２の単位長さあたりの抵抗値と第１陰極１１４の単位長さあたりの抵抗値をそろえておかないと、第１発光ライン１１０の輝度は、第１発光ライン１１０の延伸方向において分布が生じてしまう。このような輝度の分布が生じると、第１発光ライン１１０の一端側と他端側とで輝度に差が生じる可能性が高くなる。この場合、隣り合う発光装置１０の境目において輝度に差が生じてしまう。
【００３２】
そこで本実施形態では、第１陽極１１２の単位長さあたりの抵抗値を、第１陰極１１４の単位長さあたりの抵抗値と略同一となるように設計している。また、第１発光ライン１１０の一端側と他端側（すなわち第１陰極端子２１４側と第１陽極端子２１２側）とで輝度差が少なくなるように設計している。例えば、陽極端子側の輝度と陰極端子側の輝度のうち高いほうをα、低いほうをβとしたとき、（α−β）／α＜０．３０、好ましくは０．１以下、さらに好ましくは０．０５以下にしている。図２に示す構成では、第１陰極１１４及び第１陽極１１２の厚さや幅を調整することにより、第１陽極１１２及び第１陰極１１４の単位長さあたりの抵抗値を調整することができる。
【００３３】
例えば第１陽極１１２及び第１陰極１１４の一方が透明電極であり、かつ他方が金属電極である場合、透明電極は金属電極よりも抵抗が大きいため、金属電極を透明電極よりも薄くする。このようにすると、第１陽極１１２の単位長さあたりの抵抗値と第１陰極１１４の単位長さあたりの抵抗値とを容易に揃えることができる。
【００３４】
なお、第２発光ライン１２０及び第３発光ライン１３０についても、第１発光ライン１１０と同様である。
【００３５】
第１発光ライン１１０、第２発光ライン１２０、及び第３発光ライン１３０のそれぞれは、基板１００上に複数設けられている。そして複数の第１陽極１１２はいずれも同一の第１陽極端子２１２に接続しており、複数の第１陰極１１４はいずれも同一の第１陰極端子２１４に接続している。また複数の第２陽極１２２はいずれも同一の第２陽極端子２２２に接続しており、複数の第２陰極１２４はいずれも同一の第２陰極端子２２４に接続している。さらに複数の第３陽極１３２はいずれも同一の第３陽極端子２３２に接続しており、複数の第３陰極１３４はいずれも同一の第３陰極端子２３４に接続している。このため、基板１００上に第１発光ライン１１０、第２発光ライン１２０、及び第３発光ライン１３０を複数設けても、これら複数の第１発光ライン１１０、第２発光ライン１２０、及び第３発光ライン１３０を容易に表示ドライバに接続することができる。
【００３６】
図３は、図１のＢ１−Ｂ２断面図である。図２を用いて説明したように、第１発光ライン１１０は、基板１００上に第１陽極１１２、第１発光体１１６、及び第１陰極１１４を積層した構成を有している。第１発光体１１６及び第１陰極１１４は、第１陽極１１２のうち辺１０２に対向する側の端部を覆っていない。第１陽極１１２は、第１発光体１１６及び１１４に覆われていない部分を介して第１陽極端子２１２に接続している。
【００３７】
また、第１陰極１１４は、辺１０４側の端部が第１陽極１１２から絶縁された状態で、第１陽極１１２及び第１発光体１１６よりも辺１０４の近くに位置している。例えば本図に示す例では、第１陽極１１２及び第１発光体１１６のうち辺１０４側の端面には、絶縁層１４０が形成されている。そして第１陰極１１４のうち辺１０４側の端部は、絶縁層１４０の端面を介して、基板１００上に延伸している。そして第１陰極１１４は、基板１００上に位置している部分を介して、第１陰極端子２１４に接続している。
【００３８】
なお、第２発光ライン１２０及び第３発光ライン１３０も、第１発光ライン１１０と同様の構成を有している。
【００３９】
図４は、第１発光体１１６の構造を説明するための断面図である。なお、第２発光体１２６及び第３発光体１３６も、第１発光体１１６と同様の構造を有している。
【００４０】
第１発光体１１６は、第１陽極１１２上に、正孔注入層３０２、正孔輸送層３０４、発光層３０６（第１有機発光層：第２発光体１２６の場合は第２有機発光層）、電子輸送層３０８、及び電子注入層３１０をこの順に積層した積層構造を有している。これらの各層は、塗布法及び蒸着法のいずれの方法で形成されても良い。なお、蒸着法により形成される場合、各層の材料としては、以下が例示される。
【００４１】
発光層３０６に用いられる燐光性の有機化合物としては、イリジウム錯体であるBis (3,5-difluoro-2- (2-pyridyl) phenyl- (2-carboxypyridyl) iridium （III）、Tris (2-phenylpyridine) iridium(III)、Bis (2-phenylbenzothiazolato) (acetylacetonate) iridium(III)、オスミウム錯体であるOsmium(II) bis(3-trifluoromethyl -5-(2-pyridyl) -pyrazolate)dimethylphenylphosphine、希土類化合物のTris (dibenzoylmethane) phenanthroline europium(III)、白金錯体である2,3,7,8,12,13,17,18-Octaethyl-21H, 23H- porphine,platinum(II)等を例示することができる。
【００４２】
また、発光層３０６、電子輸送層３０８、及び電子注入層３１０の主成分となる電子輸送性を有する有機化合物としては、ｐ−テルフェニルやクアテルフェニル等の多環化合物およびそれらの誘導体、ナフタレン、テトラセン、ピレン、コロネン、クリセン、アントラセン、ジフェニルアントラセン、ナフタセン、フェナントレン等の縮合多環炭化水素化合物及びそれらの誘導体、フェナントロリン、バソフェナントロリン、フェナントリジン、アクリジン、キノリン、キノキサリン、フェナジン等の縮合複素環化合物およびそれらの誘導体や、フルオロセイン、ペリレン、フタロペリレン、ナフタロペリレン、ペリノン、フタロペリノン、ナフタロペリノン、ジフェニルブタジエン、テトラフェニルブタジエン、オキサジアゾール、アルダジン、ビスベンゾキサゾリン、ビススチリル、ピラジン、シクロペンタジエン、オキシン、アミノキノリン、イミン、ジフェニルエチレン、ビニルアントラセン、ジアミノカルバゾール、ピラン、チオピラン、ポリメチン、メロシアニン、キナクリドン、ルブレン等およびそれらの誘導体等を例示することができる。
【００４３】
さらに、電子輸送性を有する有機化合物として、金属キレート錯体化合物、特に金属キレート化オキサノイド化合物では、トリス（８−キノリノラト）アルミニウム、ビス（８−キノリノラト）マグネシウム、ビス［ベンゾ（ｆ）−８−キノリノラト］亜鉛、ビス（２−メチル−８−キノリノラト）（４−フェニル−フェノラト）アルミニウム、トリス（８−キノリノラト）インジウム、トリス（５−メチル−８−キノリノラト）アルミニウム、８−キノリノラトリチウム、トリス（５−クロロ−８−キノリノラト）ガリウム、ビス（５−クロロ−８−キノリノラト）カルシウム等の８−キノリノラト或いはその誘導体を配位子として少なくとも一つ有する金属錯体も例示することができる。
【００４４】
また、電子輸送性を有する有機化合物として、オキサジアゾール類、トリアジン類、スチルベン誘導体およびジスチリルアリーレン誘導体、スチリル誘導体、ジオレフィン誘導体も好適に使用され得る。
【００４５】
さらに、電子輸送性を有する有機化合物として使用できる有機化合物として、２，５−ビス（５，７−ジ−ｔ−ベンチル−２−ベンゾオキサゾリル）−１，３，４−チアゾール、４，４'−ビス（５，７−ｔ−ペンチル−２−ベンゾオキサゾリル）スチルベン、４，４'−ビス［５，７−ジ−（２−メチル−２−ブチル）−２−ベンゾオキサゾリル］スチルベン、２，５−ビス（５．７−ジ−ｔ−ペンチル−２−ベンゾオキサゾリル）チオフェン、２，５−ビス［５−（α，α−ジメチルベンジル）−２−ベンゾオキサゾリル］チオフェン、２，５−ビス［５，７−ジ−（２−メチル−２−ブチル）−２−ベンゾオキサゾリル］−３，４−ジフェニルチオフェン、２，５−ビス（５−メチル−２−ベンゾオキサゾリル）チオフェン、４，４'−ビス（２−ベンゾオキサゾリル）ビフェニル、５−メチル−２−｛２−［４−（５−メチル−２−ベンゾオキサゾリル）フェニル］ビニル｝ベンゾオキサゾール、２−［２−（４−クロロフェニル）ビニル］ナフト（１，２−ｄ）オキサゾール等のベンゾオキサゾール系、２，２'−（ｐ−フェニレンジピニレン）−ビスベンゾチアゾール等のベンゾチアゾール系、２−｛２−［４−（２−ベンゾイミダゾリル）フェニル〕ビニル｝ベンゾイミダゾール、２−［２−（４−カルボキシフェニル）ビニル］ベンゾイミダゾール等も挙げられる。
【００４６】
さらに、電子輸送性を有する有機化合物として、１，４−ビス（２−メチルスチリル）ベンゼン、１，４−ビス（３−メチルスチリル）ベンゼン、１，４−ビス（４−メチルスチリル）ベンゼン、ジスチリルベンゼン、１，４−ビス（２−エチルスチリル）ベンゼン、１，４−ビス（３−エチルスチリル）ベンゼン、１，４−ビス（２−メチルスチリル）−２−メチルベンゼン、１，４−ビス（２−メチルスチリル）−２−エチルベンゼン等も挙げられる。
【００４７】
また、さらに、電子輸送性を有する有機化合物として、２，５−ビス（４−メチルスチリル）ピラジン、２，５−ビス（４−エチルスチリル）ピラジン、２，５−ビス［２−（１−ナフチル）ビニル］ピラジン、２，５−ビス（４−メトキシスチリル）ピラジン、２，５−ビス［２−（４−ビフェニル）ビニル］ピラジン、２，５−ビス［２−（１−ピレニル）ビニル］ピラジン等が挙げられる。
【００４８】
その他、さらに、電子輸送性を有する有機化合物として、１，４−フェニレンジメチリディン、４，４'−フェニレンジメチリディン、２，５−キシリレンジメチリディン、２，６−ナフチレンジメチリディン、１，４−ビフェニレンジメチリディン、１，４−ｐ−テレフェニレンジメチリディン、９，１０−アントラセンジイルジメチリディン、４，４'−（２，２−ジ−ｔ−ブチルフェニルビニル）ビフェニル、４，４'−（２，２−ジフェニルビニル）ビフェニル等、従来有機ＥＬ素子の作製に使用されている公知のものを適宜用いることができる。
【００４９】
一方、正孔輸送層３０４や正孔輸送性の発光層に用いられ、正孔輸送性を有する有機化合物としては、Ｎ，Ｎ，Ｎ'，Ｎ'−テトラフェニル−４，４'−ジアミノフェニル、Ｎ，Ｎ'−ジフェニル−Ｎ，Ｎ'−ジ（３−メチルフェニル）−４，４'−ジアミノビフェニル、２，２−ビス（４−ジ−ｐ−トリルアミノフェニル）プロパン、Ｎ，Ｎ，Ｎ'，Ｎ'−テトラ−ｐ−トリル−４，４'−ジアミノビフェニル、ビス（４−ジ−ｐ−トリルアミノフェニル）フェニルメタン、Ｎ，Ｎ'−ジフェニル−Ｎ，Ｎ'−ジ（４−メトキシフェニル）−４，４'−ジアミノビフェニル、Ｎ，Ｎ，Ｎ'，Ｎ'−テトラフェニル−４，４'−ジアミノジフェニルエーテル、４，４'−ビス（ジフェニルアミノ）クオードリフェニル、４−Ｎ，Ｎ−ジフェニルアミノ−（２−ジフェニルビニル）ベンゼン、３−メトキシ−４'−Ｎ，Ｎ−ジフェニルアミノスチルベンゼン、Ｎ−フェニルカルバゾール、１，１−ビス（４−ジ−ｐ−トリアミノフェニル）−シクロヘキサン、１，１−ビス（４−ジ−ｐ−トリアミノフェニル）−４−フェニルシクロヘキサン、ビス（４−ジメチルアミノ−２−メチルフェニル）−フェニルメタン、Ｎ，Ｎ，Ｎ−トリ（ｐ−トリル）アミン、４−（ジ−ｐ−トリルアミノ）−４'−［４（ジ−ｐ−トリルアミノ）スチリル］スチルベン、Ｎ，Ｎ，Ｎ'，Ｎ'−テトラ−ｐ−トリル−４，４'−ジアミノ−ビフェニル、Ｎ，Ｎ，Ｎ'，Ｎ'−テトラフェニル−４，４'−ジアミノ−ビフェニルＮ−フェニルカルバゾール、４，４'−ビス［Ｎ−（１−ナフチル）−Ｎ−フェニル−アミノ］ビフェニル、４，４''−ビス［Ｎ−（１−ナフチル）−Ｎ−フェニル−アミノ］ｐ−ターフェニル、４，４'−ビス［Ｎ−（２−ナフチル）−Ｎ−フェニル−アミノ］ビフェニル、４，４'−ビス［Ｎ−（３−アセナフテニル）−Ｎ−フェニル−アミノ］ビフェニル、１，５−ビス［Ｎ−（１−ナフチル）−Ｎ−フェニル−アミノ］ナフタレン、４，４'−ビス［Ｎ−（９−アントリル）−Ｎ−フェニル−アミノ］ビフェニル、４，４''−ビス［Ｎ−（１−アントリル）−Ｎ−フェニル−アミノ］ｐ−ターフェニル、４，４'−ビス［Ｎ−（２−フェナントリル）−Ｎ−フェニル−アミノ］ビフェニル、４，４'−ビス［Ｎ−（８−フルオランテニル）−Ｎ−フェニル−アミノ］ビフェニル、４，４'−ビス［Ｎ−（２−ピレニル）−Ｎ−フェニル−アミノ］ビフェニル、４，４'−ビス［Ｎ−（２−ペリレニル）−Ｎ−フェニル−アミノ］ビフェニル、４，４'−ビス［Ｎ−（１−コロネニル）−Ｎ−フェニル−アミノ］ビフェニル、２，６−ビス（ジ−ｐ−トリルアミノ）ナフタレン、２，６−ビス［ジ−（１−ナフチル）アミノ］ナフタレン、２，６−ビス［Ｎ−（１−ナフチル）−Ｎ−（２−ナフチル）アミノ］ナフタレン、４．４''−ビス［Ｎ，Ｎ−ジ（２−ナフチル）アミノ］ターフェニル、４．４'−ビス｛Ｎ−フェニル−Ｎ−［４−（１−ナフチル）フェニル］アミノ｝ビフェニル、４，４'−ビス［Ｎ−フェニル−Ｎ−（２−ピレニル）−アミノ］ビフェニル、２，６−ビス［Ｎ，Ｎ−ジ（２−ナフチル）アミノ］フルオレン、４，４''−ビス（Ｎ，Ｎ−ジ−ｐ−トリルアミノ）ターフェニル、ビス（Ｎ−１−ナフチル）（Ｎ−２−ナフチル）アミン等を例示することが��きる。
【００５０】
さらに、正孔輸送性を有する有機化合物としては、上述の有機化合物をポリマ中に分散したものや、ポリマ化したものも使用できる。ポリパラフェニレンビニレンやその誘導体等のいわゆるπ共役ポリマ、ポリ（Ｎ−ビニルカルバゾール）に代表される正孔輸送性非共役ポリマ、ポリシラン類のシグマ共役ポリマも用いることができる。
【００５１】
正孔注入層３０２としては、特に限定はないが、銅フタロシアニン（CuPc:Copper Phthalocyanine）等の金属フタロシアニン類および無金属フタロシアニン類、カーボン膜、ポリアニリン等の導電性ポリマが好適に使用できる。
【００５２】
次に、図1及び図２に示した発光装置１０の製造方法を説明する。まず、基板１００上に第１陽極１１２、第２陽極１２２、及び第３陽極１３２となる導電膜を、例えばスパッタリング法により形成する。次いで、この導電膜上にマスクパターン（例えばレジストパターン）を形成し、このマスクパターンをマスクとして導電膜をエッチングする。これにより、第１陽極１１２、第２陽極１２２、及び第３陽極１３２が形成される。
【００５３】
次いで、基板１００上、第１陽極１１２上、第２陽極１２２上、及び第３陽極１３２上に感光性の絶縁膜、例えばポリイミド膜を形成し、この絶縁膜を露光及び現像する。これにより、絶縁層１４０が形成される。次いで、第１陽極１１２上、第２陽極１２２上、及び第３陽極１３２上、及び絶縁層１４０上に、感光性の絶縁膜、例えばレジスト膜を形成し、このレジスト膜を露光及び現像する。これにより、断面が逆テーパー形状の隔壁１５０が形成される。
【００５４】
次いで、シャドーマスクを用いた蒸着法により、第１陽極１１２上に第１発光体１１６を形成する。また、シャドーマスクを用いた蒸着法により、第２陽極１２２上に第２発光体１２６を形成する。また、シャドーマスクを用いた蒸着法により、第３陽極１３２上に第３発光体１３６を形成する。
【００５５】
次いで、第１陰極１１４、第２陰極１２４、及び第３陰極１３４となる導電膜を、例えば蒸着法により形成する。この工程において、第１発光体１１６と第２発光体１２６の間、第２発光体１２６と第３発光体１３６の間、及び第３発光体１３６と第１発光体１１６の間は、断面が逆テーパー形状の隔壁１５０によって覆われている。このため、第１陰極１１４、第２陰極１２４、及び第３陰極１３４は互いに分離して形成される。
【００５６】
なお、発光装置１０の製造方法は、上記した例に限定されない。
【００５７】
図５及び図６は、複数の発光装置１０を並べる方法を説明する図である。基板１００が矩形である場合、第１陽極端子２１２、第２陽極端子２２２、及び第３陽極端子２３２は、基板１００の辺１０２に設けられており、第１陰極端子２１４、第２陰極端子２２４、及び第３陰極端子２３４は、基板１００の辺１０４に設けられている。このため、一方の発光装置１０の辺１０２を、他方の発光装置１０の辺１０４と重ねることにより、一方の発光装置１０の第１陽極端子２１２、第２陽極端子２２２、及び第３陽極端子２３２と、他方の発光装置１０の第１陰極端子２１４、第２陰極端子２２４、及び第３陰極端子２３４とを接続することができる。
【００５８】
そして図６に示すように、電流の流れで最も上流側に位置する発光装置１０の第１陽極端子２１２、第２陽極端子２２２、及び第３陽極端子２３２と、最も下流側に位置する発光装置１０の第１陰極端子２１４、第２陰極端子２２４、及び第３陰極端子２３４の間に、発光ドライバ２０が接続される。すなわち本実施形態では、複数の発光装置１０を直列に接続した直列接続体は、発光ドライバ２０を共有している。表示ドライバ２０が制御すべき電圧は３つと少ないため、発光ドライバ２０の構造は単純になる。
【００５９】
図７は、参考例における第１発光ライン１１０、第２発光ライン１２０、及び第３発光ライン１３０の延伸方向における輝度の分布を示すグラフである。この例において、第１陰極１１４、第２陰極１２４、及び第３陰極１３４は、同一のベタ電極である。そして第１発光ライン１１０、第２発光ライン１２０、及び第３発光ライン１３０は、それぞれ赤色、緑色、及び青色の光を発光する。
【００６０】
発光装置１０から白色の光を発光したい場合、第１発光ライン１１０、第２発光ライン１２０、及び第３発光ライン１３０を同時に発光させる必要がある。本図に示す例では、第１発光ライン１１０、第２発光ライン１２０、及び第３発光ライン１３０を同時に発光させた場合、第１発光ライン１１０、第２発光ライン１２０、及び第３発光ライン１３０における、陽極端子側の輝度（図１の辺１０２側の輝度）と、陰極端子側の輝度（図１の辺１０４側の輝度）の差は小さい。しかし、第１発光ライン１１０、第２発光ライン１２０、及び第３発光ライン１３０を別々に発光させた場合、第１発光ライン１１０、第２発光ライン１２０、及び第３発光ライン１３０は、いずれも、陽極端子側の輝度（図１の辺１０２側の輝度）と、陰極端子側の輝度（図１の辺１０４側の輝度）の差が大きくなっている。
【００６１】
本発明者は、この理由を以下のように考えた。第１発光ライン１１０、第２発光ライン１２０、及び第３発光ライン１３０を同時に発光させた場合、ベタ電極に流れる電流量は、第１発光ライン１１０、第２発光ライン１２０、及び第３発光ライン１３０を別々に発光させた場合と比較して多い。このため、第１発光ライン１１０のみを発光させる場合において、第１発光ライン１１０に、第１発光ライン１１０、第２発光ライン１２０、及び第３発光ライン１３０を同時に発光させる場合と同一の電圧を印加しても、第１発光ライン１１０を流れる電流量は、第１発光ライン１１０、第２発光ライン１２０、及び第３発光ライン１３０を同時に発光させる場合とは異なってしまう。第２発光ライン１２０及び第３発光ライン１３０の場合も同様である。このため、第１発光ライン１１０、第２発光ライン１２０、及び第３発光ライン１３０を同時に発光させる場合と別々に発光させる場合の双方において、陽極端子側の輝度（図１の辺１０２側の輝度）と、陰極端子側の輝度（図１の辺１０４側の輝度）の差を小さくすることは難しい。
【００６２】
これに対して本実施形態では、第１陽極１１２、第２陽極１２２、及び第３陽極１３２は互いに独立しており、かつ、第１陽極１１２、第２陽極１２２、及び第３陽極１３２は互いに独立している。このため、第１発光ライン１１０、第２発光ライン１２０、及び第３発光ライン１３０を同時に発光させる場合の条件は、これらを別々に発光させる場合の条件と同一になる。従って、これらを同時に発光させる場合と別々に発光させる場合の双方において、陽極端子側の輝度（図１の辺１０２側の輝度）と、陰極端子側の輝度（図１の辺１０４側の輝度）の差を小さくすることができる。例えば陽極端子側の輝度と陰極端子側の輝度のうち高いほうをα、低いほうをβとしたとき、（α−β）／α＜０．３０にすることができる。
【００６３】
ここで、図１１を用いて、（α−β）／α＜０．３０にすることの効果について説明する。図１１は、（α−β）／αの大きさによって、人がどの程度境目を気にするかを調べた結果を示している。本図に示すように、（α−β）／α≦０．１のときは、どのような発光パターンにおいても、人はほとんど気にしない。また、（α−β）／α＝０．２のときは、一部の発光パターンを除いて、人は境目をあまり気にしない。しかし、（α−β）／α＝０．３０のときは、いずれの発光パターンにおいても人は境目を気にしている。以上のことから、（α−β）／α＜０．３０にするのが好ましい。
【００６４】
また、第１発光ライン１１０、第２発光ライン１２０、及び第３発光ライン１３０に入力する電圧をそれぞれ変化させても、これらの輝度の分布が変化することを抑制できる。
【００６５】
以上、本実施形態によれば、平面視で第１発光体１１６と重なる範囲内において、第１陽極１１２は第２陽極１２２に接続しておらず、第１陰極１１４は第２陰極１２４に接続していない。このため、第１陽極１１２及び第１陰極１１４の特性（例えば抵抗の大きさ）と、第２陽極１２２及び第２陰極１２４の特性とを互いに独立して設計することができる。また、図７を用いて説明したように、第１発光ライン１１０、第２発光ライン１２０、及び第３発光ライン１３０を同時に発光させる場合の条件を、これらを別々に発光させる場合の条件に一致させることができる。従って、これらを同時に発光させる場合と別々に発光させる場合の双方において、陽極端子側の輝度（図１の辺１０２側の輝度）と、陰極端子側の輝度（図１の辺１０４側の輝度）の差を小さくすることができる。これにより、隣り合う発光装置１０の境目における輝度の差を一定範囲内に収めることができる。
【００６６】
なお、上記した例では、第１発光ライン１１０、第２発光ライン１２０、及び第３発光ライン１３０は、いずれも直線状に延伸している。ただし、第１発光ライン１１０、第２発光ライン１２０、及び第３発光ライン１３０の平面レイアウトは、この例に限定されない。
【００６７】
例えば図８に示すように、第１発光ライン１１０、第２発光ライン１２０、及び第３発光ライン１３０は、同心の円を描くように配置されていても良い。この場合、第１陽極端子２１２、第２陽極端子２２２、及び第３陽極端子２３２は、第１陰極端子２１４、第２陰極端子２２４、及び第３陰極端子２３４と同一の辺に形成される。そして、第１発光ライン１１０、第２発光ライン１２０、及び第３発光ライン１３０は、第１陽極端子２１２、第２陽極端子２２２、第３陽極端子２３２、第１陰極端子２１４、第２陰極端子２２４、及び第３陰極端子２３４と対向する部分には形成されない。
【００６８】
また図９に示すように、第１発光ライン１１０、第２発光ライン１２０、及び第３発光ライン１３０を円弧に沿って繰り返し放射状に配置しても良い。
【００６９】
（第２の実施形態）
図１０は、第２の実施形態に係る発光装置１０が有する第１発光ライン１１０、第２発光ライン１２０、及び第３発光ライン１３０の構成を説明するための断面図である。本実施形態に係る発光装置１０は、以下の点を除いて第１の実施形態に係る発光装置１０と同様の構成である。
【００７０】
本実施形態において、第１陽極１１２、第２陽極１２２、及び第３陽極１３２は透明電極である。第１陽極１１２は、第１発光体１１６及び第１陰極１１４よりも幅広に形成されている。第２陽極１２２及び第３陽極１３２も、同様である。
【００７１】
そして、第１陽極１１２のうち第１発光体１１６からはみ出ている部分には、補助電極１１８が形成されている。補助電極１１８は、第１陽極１１２よりも低抵抗な材料、例えばＡｌなどの金属材料によって形成されている。補助電極１１８は、第１陽極１１２と同一方向に延伸している。
【００７２】
なお、第２陽極１２２上にも補助電極１２８が形成されており、第３陽極１３２上にも補助電極１３８が形成されている。補助電極１２８及び補助電極１３８の構成は、補助電極１１８の構成と同様である。
【００７３】
本実施形態によっても、第１の実施形態と同様の効果を得ることができる。また、透明電極である第１陽極１１２、第２陽極１２２、及び第３陽極１３２と並列に、補助電極１１８，１２８，１３８を設けているため、第１陽極１１２、第２陽極１２２、及び第３陽極１３２の単位長さあたりの抵抗値を、容易に第１陰極１１４、第２陰極１２４、及び第３陰極１３４の単位長さあたりの抵抗値に近づけることができる。
【００７４】
以上、図面を参照して本発明の実施形態について述べたが、これらは本発明の例示であり、上記以外の様々な構成を採用することもできる。
【図１】
2014038091.tif 000003
【図２】
2014038091.tif 000004
【図３】
2014038091.tif 000005
【図４】
2014038091.tif 000006
【図５】
2014038091.tif 000007
【図６】
2014038091.tif 000008
【図７】
2014038091.tif 000009
【図８】
2014038091.tif 000010
【図９】
2014038091.tif 000011
【図１０】
2014038091.tif 000012
【図１１】
2014038091.tif 000013
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
基板と、
前記基板上に形成され、第１有機発光層を有しており、線状である第１発光体と、
前記基板上に形成され、第２有機発光層を有しており、線状であり、前記第１発光体に並んでいる第２発光体と、
互いに同じ方向に延伸しており、前記第１発光体を挟持する第１陽極及び第１陰極と、
互いに同じ方向に延伸しており、前記第２発光体を挟持する第２陽極及び第２陰極と、
を備え、
前記第１陽極は前記第２陽極に接続しておらず、前記第１陰極は前記第２陰極に接続していない発光部材を複数直列に接続した発光装置。
【請求項２】
請求項１に記載の発光装置において、
前記複数の発光部材の各々は、
前記基板の縁のうち前記第１発光体の一方の端部が面する位置又はその近傍に設けられ、前記第１陽極に接続する第１陽極端子と、
前記基板の縁のうち前記第２発光体の一方の端部が面する位置又はその近傍に設けられ、前記第２陽極に接続する第２陽極端子と、
前記基板の縁のうち前記第１発光体の他方の端部が面する位置又はその近傍に設けられ、前記第１陰極に接続する第１陰極端子と、
前記基板の縁のうち前記第２発光体の他方の端部が面する位置又はその近傍に設けられ、前記第２陰極に接続する第２陰極端子と、
を備え、
一の前記発光部材の前記第１陽極端子は、その隣の前記発光部材の前記第１陰極端子に接続し、前記一の発光部材の前記第２陽極端子は前記隣の発光部材の前記第２陰極端子に直列接続する発光装置。
【請求項３】
請求項２に記載の発光装置において、
前記基板は矩形であり、
前記第１陽極端子及び前記第２陽極端子は、前記基板の第１辺に設けられており、
前記第１陰極端子及び前記第２陰極端子は、前記基板のうち前記第１辺とは逆側の第２辺に設けられている発光装置。
【請求項４】
請求項２又は３に記載の発光装置において、
複数の前記第１発光体及び複数の前記第２発光体を有しており、
前記第１陽極及び前記第１陰極は、前記複数の第１発光体毎に設けられており、
前記第２陽極及び前記第２陰極は、前記複数の第２発光体毎に設けられており、
前記複数の第１陽極は、一つの前記第１陽極端子に接続しており、
前記複数の第２陽極は、一つの前記第２陽極端子に接続しており、
前記複数の第１陰極は、一つの前記第１陰極端子に接続しており、
前記複数の第２陰極は、一つの前記第２陰極端子に接続している発光装置。
【請求項５】
請求項２〜４のいずれか一項に記載の発光装置において、
前記第１発光体における、前記第１陽極端子近傍の発光輝度と、前記第１陰極端子近傍の発光輝度との差と、
前記第２発光体における、前記第２陽極端子近傍の発光輝度と、前記第２陰極端子近傍の発光輝度との差が、いずれも３０％未満である発光装置。
【請求項６】
請求項１〜５のいずれか一項に記載の発光装置において、
前記第１発光体及び前記第２発光体は、いずれも直線状に延伸している発光装置。
【請求項７】
請求項１〜６のいずれか一項に記載の発光装置において、
前記第１陽極の単位長さあたりの抵抗値は、前記第１陰極の単位長さあたりの抵抗値は略同じである発光装置。
【請求項８】
請求項１〜７のいずれか一項に記載の発光装置において、
１列の複数の発光部材の直列接続体は、発光装置を発光駆動させる発光ドライバを共有している発光装置。
【請求項９】
請求項１〜８のいずれか一項に記載の発光装置において、
隣接する前記発光部材における互いに隣り合う辺近傍の発光輝度の差が、２５％以内である発光装置。
【請求項１０】
請求項１〜９のいずれか一項に記載の発光装置において、
前記複数の発光部材の各々において、
前記第１陽極及び前記第２陽極を含む陽極群、並びに前記第１陰極及び前記第２陰極を含む陰極群は、一方が透明電極であり、かつ他方が金属電極であり、
前記透明電極と並列に設けられ、前記透明電極を構成する材料よりも低抵抗の材料からなる補助電極を備える発光装置。
【国際調査報告】
2014038091.tif 000014
2014038091.tif 000015
2014038091.tif 000016
2014038091.tif 000017